(57)【要約】 【課題】  カバーキャップからエアゾール容器のマウンテンカップ内に塵埃などが侵入することを防止するとともに、簡単にエアゾール容器より取外すことのできるカバーキャップを提供すること。【解決手段】  カバーキャップとして、エアゾール容器のマウンテンカップに装着されるカバーキャップにおいて、エアゾール容器は、胴部とマウンテンカップとを連設する傾斜部を具え、カバーキャップが、肩部と、肩部に垂設されエアゾール容器のマウンテンカップに装着する係合筒と、外筒部とを具備しており、外筒部の外周に、押圧部が配設されており、外筒部に、エアゾール容器の傾斜部に当接し、内方に変形する押上部材が配設され、前記押圧部を押圧することにより、押上部材がエアゾール容器の傾斜部上面を摺動して前記係合筒の一部に当接し、押上げることを特徴とする。【選択図】        図１
2006282187.tif 000002
【特許請求の範囲】
【請求項１】
エアゾール容器のマウンテンカップに装着されるカバーキャップにおいて、
エアゾール容器は、胴部とマウンテンカップとを連設する傾斜部を具え、
カバーキャップが、肩部と、肩部に垂設されエアゾール容器のマウンテンカップに装着する係合筒と、外筒部とを具備しており、
外筒部の外周に、押圧部が配設されており、
外筒部に、エアゾール容器の傾斜部に当接し、内方に変形する押上部材が配設され、
前記押圧部を押圧することにより、押上部材がエアゾール容器の傾斜部上面を摺動して前記係合筒の一部に当接し、押上げることを特徴とするカバーキャップ。
【請求項２】
カバーキャップの外筒部が、肩部に連設された上部外筒と、上部外筒下端外周に連設されたフランジと、フランジ外周縁に垂設された下部外筒とを具備しており、
下部外筒の外周に押圧部が配設され、
上部外筒の下端部から押上部材が垂設されていることを特徴とする請求項１記載のカバーキャップ。
【発明の詳細な説明】
【技術分野】
【０００１】
本発明は、エアゾール容器のカバーキャップ、とくにエアゾール容器のマウンテンカップに装着されるカバーキャップに関するものである。
【背景技術】
【０００２】
金属製のエアゾール容器のマウンテンカップに、使用中に不用意に外れることがないように装着され、分別廃棄のために変形させてマウンテンカップから取り外すことのできる合成樹脂製のカバーキャップ（カバー部材）は、従来より知られている（例えば、特許文献１参照）。
【特許文献１】特開２００３−１０４４６６号公報
【発明の開示】
【発明が解決しようとする課題】
【０００３】
しかしながら、上記特許文献記載のカバーキャップでは、カバー部材（５）の上部の小径部（５３）に、カバー部材（５）を変形させる二つのスリット（５６ａ、５６ｂ）が形成されているため、視認したときに、外観が損なわれるという問題があった。
また、スリット（５６ａ、５６ｂ）から液体や塵埃などが小径部（５３）内に侵入して溜まり、エアゾール容器のマウンテンカップ内に設けられたバルブの可動を妨げるとともに、不衛生であるという問題があった。
【０００４】
本発明は、上記問題を解決することを課題として、カバーキャップからエアゾール容器のマウンテンカップ内に塵埃などが侵入することを防止するとともに、簡単にエアゾール容器より取外すことのできるカバーキャップを提供することを目的とする。
【課題を解決するための手段】
【０００５】
本発明は、上記の課題を解決するため、カバーキャップとして、エアゾール容器のマウンテンカップに装着されるカバーキャップにおいて、エアゾール容器は、胴部とマウンテンカップとを連設する傾斜部を具え、カバーキャップが、肩部と、肩部に垂設されエアゾール容器のマウンテンカップに装着する係合筒と、外筒部とを具備しており、外筒部の外周に、押圧部が配設されており、外筒部に、エアゾール容器の傾斜部に当接し、内方に変形する押上部材が配設され、前記押圧部を押圧することにより、押上部材がエアゾール容器の傾斜部上面を摺動して前記係合筒の一部に当接し、押上げることを特徴とする構成を採用する。
【０００６】
外筒部の実施例として、カバーキャップの外筒部が、肩部に連設された上部外筒と、上部外筒下端外周に連設されたフランジと、フランジ外周縁に垂設された下部外筒とを具備しており、下部外筒の外周に押圧部が配設され、上部外筒の下端部から押上部材が垂設されていることを特徴とする構成を採用する。
【発明の効果】
【０００７】
カバーキャップの外筒の一部を押圧することで、カバーキャップの押上部材がエアゾール容器の傾斜部上面を摺動してカバーキャップの係合筒を押上げるので、簡単にカバーキャップをエアゾール容器より取外すことができるようになった。
また、カバーキャップからエアゾール容器のマウンテンカップ内に塵埃などが侵入することを防止できるようになった。
【発明を実施するための最良の形態】
【０００８】
次に、本発明の容器の実施形態について、図面を参照して説明する。
図１において、Ａはエアゾール容器、Ｂはエアゾール容器Ａに装着されるカバーキャップ、Ｃはエアゾール容器Ａに装着され、エアゾール容器Ａ内の内容物を噴出する噴出ヘッドである。
【０００９】
図１に示すように、エアゾール容器Ａは金属製または合成樹脂製であり、胴部１と、胴部１上端から内側上方に傾斜する肩傾斜部２と、肩傾斜部２上端に連設されたマウンテンカップ３とを具備している。
マウンテンカップ３は、上部外周にカバーキャップＢを装着する係合環４を形成し、内方中央には、バルブのステム５が配設されている。
【００１０】
図２に示すように、カバーキャップＢは、一体成形された合成樹脂製であり、内筒１０と、内筒１０上端外方に連設された肩部１１と、肩部１１裏面に垂設された係合筒１２と、肩部１１外周縁に垂設された外筒部１３とを具えている。
外筒部１３は、肩部１１に連設された上部外筒１４と、上部外筒１４下端外周に連設されたフランジ１５と、フランジ１５外周縁に垂設された下部外筒１６とを具えている。
【００１１】
係合筒１２の内周下端部には、エアゾール容器Ａのマウンテンカップ３の係合環４の下側に係合する係合突条１７が設けられており、係合筒１２内周と係合突条１７が係合環４に係合して、カバーキャップＢがエアゾール容器Ａから抜け落ちることを防止している。
【００１２】
上部外筒１４下端の一部には、押上部材１８が垂設されている。
押上部材１８は、内方に変形可能な弾性変形部１９と、弾性変形部１９下端に設けられた押上部２０とからなっている。
【００１３】
押上部材１８に対応する下部外筒１６外周には、押圧部２１が配設されている。
押圧部２１は、下部外筒１６の外周に表示のみを設けてもよいが、押圧部２１の両側部の外筒部１３外周にスリットを設け、押圧部２１だけを押圧可動するようにしてもよい。
【００１４】
噴出ヘッドＣは、合成樹脂により形成され、エアゾール容器Ａのステム５に装着され、噴出孔よりエアゾール容器Ａ内の内容物を噴出するものであればよい。
【００１５】
次に、本発明の容器の使用態様と作用効果について説明する。
容器の組立方法は、まず、内容物を充填したエアゾール容器ＡにカバーキャップＢが装着され、次いで、エアゾール容器Ａのステム５に噴出ヘッドＣが装着される。
その際、エアゾール容器Ａのマウンテンカップ３の上面に、カバーキャップＢの内筒１０下端が当接し、マウンテンカップ３の係合環４に、係合筒１２内周と係合突条１７とが係合することによって、カバーキャップＢがエアゾール容器Ａに装着される。
【００１６】
また、カバーキャップＢの外筒部１３に垂設された押上部材１８が、図１、３（ａ）に示すように、エアゾール容器Ａの肩傾斜部２に当接し、弾性変形部１９により内方に変形することにより、押上部２０が、肩傾斜部２を摺動しながらカバーキャップＢの係合筒１２の下端の当接部１２ａに当接する。
【００１７】
本発明の容器の使用にあたっては、噴出ヘッドＣを押下げると、噴出ヘッドＣの噴出孔よりエアゾール容器Ａ内の内容物が噴出される。
エアゾール容器Ａ内の内容物を全て噴出し終わった後は、分別廃棄のため、エアゾール容器Ａから噴出ヘッドＣおよびカバーキャップＢを外す。
【００１８】
カバーキャップＢをエアゾール容器Ａから外す際、カバーキャップＢの外筒部１３の押圧部２１を押圧することにより、図３（ｂ）に示すように、押圧部２１の外筒部１３が内方に変形する。
これに伴い、外筒部１３の押上部材１８の押上部２０が、エアゾール容器Ａの肩傾斜部２の傾斜により、上方に摺動する。
【００１９】
押上部２０の上昇に伴い、押上部２０に当接するカバーキャップＢの係合筒１２の当接部１２ａ付近が上昇させられ、係合筒１２の係合突条１７と、エアゾール容器Ａのマウンテンカップ３の係合環４との係合が外されて行く。
したがって、カバーキャップＢをエアゾール容器Ａから容易に外すことができる。
【００２０】
上記実施形態では、カバーキャップＢの外筒部１３を上部外筒１４とフランジ１５と下部外筒１６とで形成したが、フランジと下部外筒を無くし、上部外筒の下端の一部に内方に変形する押上部材を連設するとともに、上部外筒の外周に押圧部を設けるようにしてもよい。
また、押上部材の形状も、エアゾール容器Ａの肩傾斜部２に当接し、変形し、カバーキャップＢの押圧部を押圧することにより、カバーキャップＢの係合筒１２の一部を上昇させ、エアゾール容器ＡからカバーキャップＢを容易に外すことができればよいので、カバーキャップＢの外筒部および押圧部材の形状は上記形態に限定されない。
【産業上の利用可能性】
【００２１】
本発明は、カバーキャップの外周に押圧部を設け、押圧部を押圧することにより、カバーキャップ内の押上部材がエアゾール容器の傾斜部上面を摺動してカバーキャップの係合筒の一部を押上げることで、簡単にカバーキャップをエアゾール容器より取外すことができるので、化粧品、薬品、その他のエアゾール容器のカバーキャップとして広く利用することができる。
【図面の簡単な説明】
【００２２】
【図１】本発明容器の説明図である。
【図２】カバーキャップの説明図で、（ａ）は、一部断面図、（ｂ）は、下面図である。
【図３】本発明容器の一部拡大図で、（ａ）は、カバーキャップ平常時、（ｂ）は、カバーキャップの押圧時である。
【符号の説明】
【００２３】
Ａ          エアゾール容器
Ｂ          カバーキャップ
Ｃ          噴出ヘッド
１          胴部
２          肩傾斜部  
３          マウンテンカップ
４          係合環  
５          ステム
１０        内筒
１１        肩部
１２        係合筒
１２ａ      当接部
１３        外筒部
１４        上部外筒
１５        フランジ
１６        下部外筒
１７        係合突条
１８        押上部材
１９        弾性変形部
２０        押上部
２１        押圧部
【図１】
2006282187.tif 000003
【図２】
2006282187.tif 000004
【図３】
2006282187.tif 000005